(57)【要約】      （修正有）【課題】可動部の角度調整やスライド調整を無段階で角度調整でき、雑音の発生のない静かな作動を行うことが可能なスライド調整装置を提供する。【解決手段】外力が作用可能な外側部材が連結されると共に軸部材１０が貫通して軸部材の軸方向に移動可能な可動部材１２と、軸部材に一対が配置され、可動部材の当接によって軸部材に対して傾斜して係合し、当該係合により可動部材の移動をロックするロック部材１３，２３と、一対のロック部材の間に配置され、ロック部材が傾斜した状態となって可動部材に係合するように付勢する弾性部材１４と、軸部材の軸方向に沿った移動操作によって可動部材に当接して同部材１２を移動させる操作部材とを備える。外側部材に外力が作用したとき、可動部材がロック部材に当接して可動部材の移動がロックされされ、操作部材への移動操作によって一対のロック部材の傾きを小さくしてロックを解除する。【選択図】図４
2010024712.tif 000002
【特許請求の範囲】
【請求項１】
外力が作用可能な外側部材が連結されると共に軸部材が貫通して軸部材の軸方向に移動可能な可動部材と、
前記軸部材が貫通するロック穴を有して軸部材に一対が配置され、前記可動部材の当接によって軸部材に対して傾斜して係合し、当該係合により可動部材の移動をロックするロック部材と、
前記一対のロック部材の間に配置され、前記ロック部材が傾斜した状態となって前記可動部材に係合するように付勢する弾性部材と、
前記一対のロック部材のそれぞれの一側に外側から当接可能な外側当接部及び一対のロック部材のそれぞれの他側に内側から当接可能な内側当接部を有しており、前記軸部材の軸方向に沿った移動操作によって前記可動部材に当接して同部材を移動させる操作部材とを備え、
前記外側部材に外力が作用したとき、前記可動部材がロック部材に当接して可動部材の移動がロックされ、前記操作部材への移動操作によって前記外側当接部が一方のロック部材に当接すると共に内側当接部が他方のロック部材に当接して一対のロック部材の傾きを小さくしてロックを解除することを特徴とするスライド操作装置。
【請求項２】
前記操作部材が前記可動部材に当接する部位における離隔間隔に対し、前記操作部材の前記外側当接部及び内側当接部とロック部材との離隔間隔が小さいことを特徴とする請求項１記載のスライド操作装置。
【請求項３】
前記ロック部材が板状に形成されており、横置き状となって軸部材が貫通していることを特徴とする請求項１又は２記載のスライド操作装置。
【請求項４】
前記ロック部材における前記可動部材との当接部分に、当該当接部分と同じ方向への曲げ加工が施されていることを特徴とする請求項１〜３のいずれか１項記載のスライド操作装置。
【発明の詳細な説明】
【技術分野】
【０００１】
本発明は、可動ルーバー窓、車両用のセンターコンソールやアームレストなどに用いられるスライド操作装置に関する。
【背景技術】
【０００２】
可動ルーバー窓では、室内での操作によってスラットの開閉ができる一方、屋外のスラットに力が加わったときにスラットが開かないことが犯罪防止の観点から好ましい。特許文献１には、このような作動を可能とした従来の可動ルーバー窓の開閉操作装置が記載されている。
【０００３】
特許文献１記載の開閉操作装置は、スラットに連結された可動部材と、可動部材を上下方向に移動させる操作部材と、可動部材側に突出して係合するようにばね付勢されてロックを行うロック部材と、操作部材の上下方向への変位をロック部材の変位に変換する斜面と、ロック部材が突出したときにロック部材が入り込むノッチとを有している。この装置では、ロック部材がノッチに入り込んでいるため、屋外でスラットに外力が作用してもスラット１が開閉作動することがないが、室内で操作部材を操作することにより、斜面によってロック部材がノッチに入ったり、出たりするため、スラット１を回転させて角度調整を行うことが可能となっている。
【特許文献１】特開２００２−４７８６８号公報
【発明の開示】
【発明が解決しようとする課題】
【０００４】
しかしながら、特許文献１に記載されている従来の開閉操作装置では、スラットの開閉角度が段階的であるため、細かな角度調整ができない不便さがある。又、スラットの開閉角度を変更する際に、ロック部材がノッチとの係合を繰り返すため、カチ、カチという雑音が発生する。このため、静かな操作ができない問題がある。以上のような問題点は、車両用のセンターコンソールやアームレスト等においても同様に発生しており、これらの部材では、角度調整やスライド調整を無段階で行うのが難しいものとなっている。
【０００５】
本発明は、このような従来の問題点を考慮してなされたものであり、可動ルーバー窓やセンターコンソールなどにおける可動部材に対して、その角度調整やスライド調整を無段階で角度調整でき、しかも雑音の発生のない静かな作動を行うことが可能なスライド調整装置を提供することを目的とする。
【課題を解決するための手段】
【０００６】
請求項１記載の発明のスライド操作装置は、外力が作用可能な外側部材が連結されると共に軸部材が貫通して軸部材の軸方向に移動可能な可動部材と、前記軸部材が貫通するロック穴を有して軸部材に一対が配置され、前記可動部材の当接によって軸部材に対して傾斜して係合し、当該係合により可動部材の移動をロックするロック部材と、前記一対のロック部材の間に配置され、前記ロック部材が傾斜した状態となって前記可動部材に係合するように付勢する弾性部材と、前記一対のロック部材のそれぞれの一側に外側から当接可能な外側当接部及び一対のロック部材のそれぞれの他側に内側から当接可能な内側当接部を有しており、前記軸部材の軸方向に沿った移動操作によって前記可動部材に当接して同部材を移動させる操作部材とを備え、前記外側部材に外力が作用したとき、前記可動部材がロック部材に当接して可動部材の移動がロックされ、前記操作部材への移動操作によって前記外側当接部が一方のロック部材に当接すると共に内側当接部が他方のロック部材に当接して一対のロック部材の傾きを小さくしてロックを解除することを特徴とする。
【０００７】
請求項１記載の発明では、ロック部材が軸部材に対して傾斜することにより、ロック部材が軸部材に係合するため、可動部材の移動がロックされる。この状態に対し、外側部材に外力が作用すると、ロック部材が傾いた状態を維持したロック状態であるため、外側部材からの操作では角度調整やスライド調整ができない。一方、操作部材を移動操作すると、操作部材が一対のロック部材に当接して全てのロック部材の傾きを小さくするる。このため、軸部材への係合が解除され、外側部材の角度調整やスライド調整が可能となる。
【０００８】
請求項２記載の発明は、請求項１記載のスライド操作装置であって、前記操作部材が前記可動部材に当接する部位における離隔間隔に対し、前記操作部材の前記外側当接部及び内側当接部とロック部材との離隔間隔が小さいことを特徴とする。
【０００９】
請求項３記載の発明は、請求項１又は２記載のスライド操作装置であって、前記ロック部材が板状に形成されており、横置き状となって軸部材が貫通していることを特徴とする。
【００１０】
請求項４記載の発明は、請求項１〜３のいずれか１項記載のスライド操作装置であって、前記ロック部材における前記可動部材との当接部分に、当該当接部分と同じ方向への曲げ加工が施されていることを特徴とする。
【発明の効果】
【００１１】
本発明によれば、ロック部材が軸部材に係合したロック状態に対し、操作部材を移動操作すると、操作部材がロック部材に当接してロック部材の傾きが小さくなる。このため、ロック部材の軸部材への係合が解除され、操作部材による角度調整やスライド調整が可能となる。このような構造では、外側部材を無段階で角度調整でき、しかも雑音の発生のない静かな作動を行うできる。
【発明を実施するための最良の形態】
【００１２】
（第１実施形態）
図１〜図７は、本発明の第１実施形態のスライド操作装置を示し、図１はこの実施形態が適用された可動ルーバー窓の正面図、図２は側面図、図３は図１におけるＡ−Ａ線断面図、図４は図３におけるＢ−Ｂ線断面図、図５は図３におけるＣ−Ｃ線断面図、図６は作動を示す断面図、図７は図６の要部を拡大した断面図である。
【００１３】
図１に示すように、可動ルーバー窓は複数のスラット１を有している。それぞれのスラット１は、スラット軸３に回転自在に取り付けられており、スラット軸３はルーバー窓の枠２に固定されている。それぞれのスラット１には、リンク４の一端が取り付けられ、リンク４の他端は連結ピン５によって連結ロッド６に連結されている。連結ロッド６は上下方向に延びており、全てのスラット１の連結ピン５が取り付けられている。従って、連結ロッド６が上下方向に移動することにより全てのスラット１が同時に開閉作動する。
【００１４】
上記構造において、連結ロッド６が上下に移動すると、連結ロッド６の動きに同期してスラット１がスラット軸３を中心に回転する。すなわち、図３において、連結ロッド６が上に移動すると、スラット１は時計方向に回転して開いた状態となり、連結ロッド６が下に移動すると、スラット１は反時計方向に回転して閉じた状態となる。この実施形態において、スラット１は外側部材として機能するものであり、スラット軸３，リンク４、連結ピン５、連結ロッド６を介して後述するスライダー１２に連結される（図３参照）。
【００１５】
図３及び図４に示すように、この実施形態のスライド操作装置７は、ベース９と、軸部材としてのシャフト１０と、可動部材としてのスライダー１２と、ロック部材としてのロックプレート１３及び２３と、弾性部材としてのばね１４と、操作部材としての操作レバー１５と、カバー１７とを備えている。スライド操作装置７の全体は、ねじ等の締結具８によって枠２に固定される（図１及び図２参照）。スライド操作装置７は屋内Ｘ側に位置するものであり、スラット１は屋外Ｙ側に位置している（図２参照）。
【００１６】
ベース９は締結具８によってルーバー窓の枠２に固定される。カバー１７は縦長のコ字形となっており、ベース９の外側を覆った状態でベース９と共に締結具８により枠２に固定される。ベース９における連結ロッド６側の面には、スライダー１２の上下移動を案内する案内凹部９ｂと、スライダー１２が貫通して連結ロッド６側に延びるための長穴９ｃとが形成されている。
【００１７】
軸部材としてのシャフト１０は、所定長さを有して上下方向に延びている。シャフト１０は、その上下端部がベース９を貫通し、貫通端に止め輪１１を係止させることにより立設状態でベース９に固定される。
【００１８】
可動部材としてのスライダー１２は、左側にシャフト１０が上下方向に貫通し、右側にスラット１が連結される。スラット１が連結されるスライダー１２の右側は、スラット１に向かって略水平に延びるアーム部１２ａとなっている。アーム部１２ａには、横長の長穴１２ｃが形成されており、長穴１２ｃに一の連結ピン５が貫通して連結されている。従って、スライダー１２が上下方向に移動すると、一の連結ピン５を介して連結ロッド６が上下動するため、全てのスラット１が開閉する。
【００１９】
スライダー１２におけるアーム部１２ａの反対側は、左側（操作レバー１５側）が開口された縦コ字形の箱型形状に形成されており、下側の第１当接片２１及び上側の第２当接片２２とが一対となって対向している。第１当接片２１及び第２当接片２２は面対称の形状となっており、それぞれには、外方に向けて傾斜した傾斜面２１ａ、２２ａと、傾斜面２１ａ、２２ａの傾斜始端となる頂点２１ｂ、２２ｂとが形成されている。シャフト１０は第１当接片２１及び第２当接片２２を貫通するものであり、シャフト１０が貫通することにより、スライダー１２はシャフト１０の軸方向に移動可能となっている。かかる移動は、シャフト１０及びベース９の案内凹部９ｂによってガイドされる。
【００２０】
ロック部材としてのロックプレート１３，２３は、板状となっており、上下で対向するように一対が配置され、下側が第１ロックプレート１３、上側が第２ロックプレート２３となっている。第１ロックプレート１３にはスライダー１２の第１当接片２１が当接し、第２ロックプレート２３には第２当接片２２が当接する。それぞれのロックプレート１３，２３も面対称の形状となっており、それぞれには、シャフト１０が貫通するロック穴１３ａ、２３ａが形成されている。
【００２１】
この実施形態において、一対のロックプレート１３，２３は、横置き状となって配置されている。すなわち、一対のロックプレート１３，２３は、長辺側が正面に位置し（図４参照）、短辺側が側面に位置するように配置され、この状態でシャフト１０が貫通するものである。このように一対のロックプレート１３，２３を横置きとすることによりスライド操作装置７の全体を薄くすることができ、室内側への突出量を少なくすることができる。
【００２２】
ロックプレート１３，２３のロック穴１３ａ、２３ａは、シャフト１０の径よりの僅かに大きな径となっており、後述するようにロック穴１３ａ、２３ａの上下端のエッジ部１３ｂ、１３ｃ及び２３ｂ、２３ｃがシャフト１０に食い込むことより、スライダー１２の移動をロックするようになっている。
【００２３】
弾性部材としてのばね１４は、一対のロックプレート１３，２３の間に配置されるものであり、このように配置することにより、それぞれのロックプレート１３，２３はスライダー１２とばね１４との間に配置された構造となっている。ばね１４は圧縮コイルばねが使用されており、シャフト１０が貫通することによりシャフト１０に保持されている。ばね１４の上下端部は、一対のロックプレート１３，２３に当接しており、この当接によってロックプレート１３，２３が当接片２１，２２の頂点２１ｂ、２２ｂに当接するように付勢している。このようなばね１４の付勢により、ロックプレート１３，２３は頂点２１ｂ，２２ｂを支点として左端部分が相互に離れる方向へ傾斜する。すなわち、第１ロックプレート１３が左下がりに傾斜し、第２ロックプレート２３が左上がりに傾斜した状態となる。この傾斜により、ロックプレート１３，２３のロック穴１３ａ、２３ａのエッジ部１３ｂ、１３ｃ及び２３ｂ、２３ｃがシャフト１０に食い込んで係合することができる。
【００２４】
操作部材としての操作レバー１５は、スライダー１２を挟んでスラット１との反対側に配置される。操作レバー１５は操作部１５ｍを有しており、操作部１５ｍがカバー１７に上下方向に形成した長穴１６ａから室内Ｘ側に突出している。操作部１５ｍを操作することにより、操作部材１５の上下方向への移動操作が可能となっている。
【００２５】
操作レバー１５における操作部１５ｍとの反対側（スライダー１２側）は、図４に示すように略コ字形の枠部１５ｋとなっており、この枠部１５ｋの内部に一対のロックプレート１３，２３、ばね１４、及びスライダー１３の当接片２１、２２が配置されている。図４に示すように、枠部１５ｋの内面には、外側第１当接部１５ａ、外側第２当接部１５ｂ、内側第１当接部１５ｃ、内側第２当接部１５ｄ、スライダー側第１当接部１５ｅ及びスライダー側第２当接部１５ｆが形成されている。
【００２６】
外側第１当接部１５ａは、第１ロックプレート１３の長辺における一側（図４における左側）の端部（一側端部１３ｅ）に対応しており（図４及び図７参照）、外側第２当接部１５ｂは、第２ロックプレート２３の長辺における一側（図４における左側）の端部（一側端部２３ｅ）に対応している。これらの外側第１当接部１５ａ及び外側第２当接部１５ｂは、枠部１５ｋの左端部をロックプレート１３，２３の方向に突出させることにより形成されるものであり、外側第１当接部１５ａは第１ロックプレート１３の一側端部１３ｅに外側から当接可能となっており、外側第２当接部１５ｂは第２ロックプレート２３の一側端部２３ｅに外側から当接可能となっている。
【００２７】
内側第１当接部１５ｃは、第１ロックプレート１３の長辺における他側（図４における右側）の端部（他側端部１３ｆ）に対応しており、内側第２当接部１５ｄは、第２ロックプレート２３の長辺における一側（図４における右側）の端部（他側端部２３ｆ）に対応している。これらの内側第１当接部１５ｃ及び内側第２当接部１５ｄは、枠部１５ｋにおける縦辺の中間部分に凸部２７を形成することにより設けられるものである。凸部２７は一対のロックプレート１３，２３の間に位置するように形成されており、その下端部が内側第１当接部１５ｃ、上端部が内側第２当接部１５ｄとなっている。内側第１当接部１５ｃは、第１ロックプレート１３の他側端部１３ｆに内側から当接可能となっており、内側第２当接部１５ｄは第２ロックプレート２３の他側端部２３ｆに内側から当接可能となっている。
【００２８】
スライダー側第１当接部１５ｅはスライダー１２の第１当接片２１に対応し、スライダー側第２当接部１５ｆはスライダー１２第２当接片２２に対応している。スライダー側第１当接部１５ｅは、枠部１５ｋの下辺部分に設けられ、スライダー側第２当接部１５ｆは枠部１５ｋの上辺部分に設けられている。スライダー側第１当接部１５ｅはスライダー１２の第１当接片２１に当接可能となっており、スライダー側第２当接部１５ｆはスライダー１２の第２当接片２２に当接可能となっている。
【００２９】
この実施形態において、外側第１当接部１５ａと第１ロックプレート１３の一側端部１３ｅとの離隔間隔をＬ１、外側第２当接部１５ｂと第２ロックプレート２３の一側端部２３ｅとの離隔間隔をＬ２、内側第１当接部１５ｃと第１ロックプレート１３の他側端部１３ｆとの離隔間隔をＬ３、内側第２当接部１５ｄと第２ロックプレート２３の他側端部２３ｆとの離隔間隔をＬ４とし、スライダー側第１当接部１５ｅとスライダーの第１当接片２１との離隔間隔をＬ５、スライダー側第２当接部１５ｆと、スライダー１２の第２当接片２２との離隔間隔をＬ６とした場合、Ｌ１，Ｌ２，Ｌ３，Ｌ４はＬ５及びＬ６よりも小さくなるように設定されている。このように設定することにより、操作レバー１５が上下方向に移動する際には、操作レバー１５はロックプレート１３，２３に当接し、その後に操作レバー１５はスライダー１２に当接する。すなわち、操作レバー１５が上方に移動するときには、外側第１当接部１５ａが第１ロックプレート１３の一側端部１５ｅに当接すると共に、内側第２当接部１５ｄが第２ロックプレート２３の他側端部２３ｆに当接する。その後に、スライダー側第１当接部１５ｅがスライダー１２の第１当接片２１に当接する。操作レバー１５が下方に移動するときには、外側第２当接部１５ｂが第２ロックプレート２３の一側端部２３ｅに当接すると共に内側第１当接部１５ｃが第１ロックプレート１３の他側端部１３ｆに当接し、その後にスライダー側第２当接部１５ｆがスライダー１２の第２当接片２２に当接する。
【００３０】
この実施形態において、ばね１４は、ロックプレート１３，２３のロック穴１３ａ、２３ａ近辺に当接してロックプレート１３，２３を付勢している。ばね１４がこのような位置を付勢することにより、ロック穴１３ａ，２３ａのエッジ部１３ｂ、１３ｃ、２３ｂ、２３ｃがシャフト１０に食い込んでロックするためのロックプレート１３，２３の傾斜姿勢及びロックを解除するためのロックプレート１３，２３の傾斜をなくした解除姿勢を確保でき、ロック及びその解除が確実に可能となる。
【００３１】
次に、この実施形態の作動を説明する。
【００３２】
図３はスラット１を完全に閉じた状態を示す。この状態でスラット１に手を掛けて開けようとすると、スラット１にはスラット軸３回りの時計方向の回転力が作用し、連結ロッド６には上方向への移動力が作用する。この力は、連結ピン５を介してスライダー１２における第１当接片２１の頂点２１ｂに対し上方向に作用する。従って、第１ロックプレート１３に反時計方向への回転力が作用して第１ロックプレート１３が傾斜するため、第１ロックプレート１３のエッジ部１３ｂ、１３ｃがシャフト１０に食い込んで第１ロックプレート１３がロックされる。スラット１への力が強くなると、エッジ部１３ｂ，１３ｃがシャフト１０に食い込む力が強くなってロック力が増大する。その結果、スラット１を屋外から開くことができない。
【００３３】
一方、スラット１が開いている状態に対し、スラット１を閉じようとして力を加えると、上述と同様な挙動が第２ロックプレート２３に作用する。すなわち、スライダー１２における第２当接片２２の頂点２２ｂが第２ロックプレート２３を傾斜させるため、第２ロックプレート２３のエッジ部２３ｂ、２３ｃがシャフト１０に食い込んで第２ロックプレート２３がロックされる。その結果、屋外からはスラット１を閉じることができない。
【００３４】
屋内側でスラット１を開く場合には、操作レバー１５の操作部１５ｍを把持して操作レバー１５を上方向へ移動操作する。図６及び図７は、この操作における作動を示している。操作レバー１５を上方へ移動させると、まず同レバー１５の外側第１当接部１５ａが第１ロックプレート１３の一側端部１３ｅに当接して上方向に押すため、第１ロックプレート１３はスライダー１２の第１当接片２１における頂点２１ｂを支点にして時計方向に回転する。この回転により、第１ロックプレート１３のロック穴１３ａにおけるエッジ部１３ｂ、１３ｃのシャフト１０への食い込みが解除され、第１ロックプレート１３によるロックが解除される。
【００３５】
操作レバー１５の上方への移動に伴って、凸部２７の内側第２当接部１５ｄが第２ロックプレート２３の他側端部２３ｆに当接して上方に押すため、第２ロックプレート２３はスライダー１２の第２当接片２２における頂点２２ｂを支点として反時計方向に回転する。この回転により、第２ロックプレート２３のロック穴２３ａにおけるエッジ部２３ｂ、２３ｃのシャフト１０への食い込みが解除され、第２ロックプレート２３によるロックが解除される。以上の第１ロックプレート１３及び第２ロックプレート２３の解除は、スライダー側第１当接部１５ｅとスライダー１２の第１当接片２１との間の隙間（離隔間隔Ｌ５）がなくなる前に完了する。
【００３６】
さらに、操作レバー１５を上方へ移動操作するとスライダー側第１当接部１５ｅがスライダー１２の第１当接片２１の下面に当接し、スライダー１２を上方へ移動させる。このとき、一対のロックプレート１３，２３はロック解除状態が保持されているため、シャフト１０に接触することなくスライダー１２と共に上方へ移動する。スライダー１２の上方への移動により連結ロッド６が上動するため、スラット１が時計方向に回転してスラット１を開くことができる。
【００３７】
屋内側でスラット１を閉じる場合には、操作レバー１５の操作部１５ｍを把持して下方向へ移動操作する。これにより、上述した作動が上下で反対に作用する。すなわち、まず外側第２当接部１５ｂが第２ロックプレート２３の一側端部２３ｅに当接して第２ロックプレート２３を反時計方向に回転させるため、第２ロックプレート２３によるロックが解除される。又、内側第１当接部１５ｃが第１ロックプレート１３の他側端部１３ｆに当接して第１ロックプレート１３を時計方向に回転させるため、第１ロックプレート１３におけるロックが解除される。その後、スライダー側第２当接部１５ｆがスライダー１２の第２当接片２２に当接してスライダー１２を下方向に移動させる。これにより、スラット１を閉じることができる。
【００３８】
以上のスラット１の開き作動及び閉じ作動のいずれにおいても、操作レバー１５の移動操作を中止すると、ばね１４の付勢力によって第１ロックプレート１３及び第２ロックプレート２３がそれぞれスライダー１２の頂点２１ｂ及び２２ｂを支点として傾き、それぞれのロック穴１３ａ、２３ａのエッジ部１３ｂ、１３ｃ及び２３ｂ、２３ｃがシャフト１０に食い込んでロック状態となる。これにより、スラット１の回転がその角度で停止するため、スラット１の開き角度及び閉じ角度を無段階で調整することができる。又、操作レバー１５の上下いずれの移動操作においては、全てのロックプレート１３，２３がシャフト１０に食い込まないため、異音が発生することがなく不快感がなく、しかも静かに操作することができる。
【００３９】
（第２実施形態）
図８は、本発明の第２実施形態におけるスライド操作装置７Ａを示す。この実施形態のスライド操作装置７Ａにおいては、第１ロックプレート１３及び第２ロックプレート２３に曲げ加工を施すものである。すなわち、第１ロックプレート１３におけるスライダー１２の第１当接片２１の頂点２１ｂに対応した部分に曲げ加工２８を施し、第２ロックプレート２３におけるスライダー１２の第２当接片２２の頂点２２ｂに対応した部分に曲げ加工２９を施すものである。曲げ加工２８、２９はそれぞれの当接片２１、２２の傾斜面２１ａ、２２ａと同じ方向にロックプレート１３，２３を曲げるものである。曲げ加工２８、２９を施すことにより、ロックプレート１３，２３とスライダー１２の当接片２１、２２とが確実に当接する。このため、ロックプレート１３，２３が左右にずれることがなく、それぞれのエッジ部１３ｂ、１３ｃ、２３ｂ、２３ｃがシャフト１０と接触することがない。これにより、ロック解除を確実に行うことができる。
【００４０】
（第３実施形態）
図９及び図１０は、本発明の第３実施形態のスライド操作装置７Ｂを示す。この実施形態では、スライド操作装置７Ｂを車両のセンターコンソール５０に適用したものである。センターコンソール５０は、本体５１と、本体５１に対してスライドするスライド部材５２とを備えている。スライド部材５２の先端部５２ａは下方に屈曲されている。
【００４１】
スライド操作装置７Ｂは、本体５１の内部に横方向に組み込まれる。スライド操作装置７Ｂは、横長の操作レバー５５（第１実施形態における操作レバー１５に相当する）を有しており、操作レバー５５の先端部５５ａが本体部５１から引き出されており、スライド部材５２の先端部５２ａに臨んでいる。
【００４２】
スライド操作装置７Ｂは、第１実施形態と同様な構造となっているシャフト１０、一対のロックプレート１３，２３及びスライダー１２を有しており、第１実施形態と同様にスライダー１２のロック及びロック解除が可能となっている。この実施形態では、操作レバー５５の先端部５５ａ及びスライド部材５２の先端部５２ａを握った状態で、左右にスライドさせることによりスライド部材５２が横方向にスライドしてセンターコンソール５０のスライド調整を行うことができる。又、操作レバー５５の先端部５５ａを離すことにより、一対のロックプレート１３，２３がシャフト１０に食い込むため、その位置でスライドがロックされる。これにより、無段階でのセンターコンソール５０のスライド調整を行うことができる。以上の構造は、センターコンソール５０だけでなく、車両用アームレストにも同様に適用することができ、これによりアームレストの無段階の長さ調整が可能となる。
【００４３】
本発明は、以上の実施形態に限定されることなく種々変形が可能である。例えば、ロックプレートを付勢するばね１４としては、複数の皿ばねを重ねて形成しても良い。又、本発明は、可動ルーバー窓、センターコンソール、アームレスト以外の装置に適用することができる。
【図面の簡単な説明】
【００４４】
【図１】本発明の第１実施形態が適用される可動ルーバー窓の正面図である。
【図２】可動ルーバー窓の側面図である。
【図３】図１におけるＡ−Ａ線断面図である。
【図４】図３におけるＢ−Ｂ線断面図である。
【図５】図３におけるＣ−Ｃ線断面図である。
【図６】ロック解除状態の断面図である。
【図７】ロック解除の作動を示す拡大断面図である。
【図８】本発明の第２実施形態のスライド操作装置を示す断面図である。
【図９】本発明の第３実施形態のスライド操作装置を示す断面図である。
【図１０】第３実施形態の作動を示す断面図である。
【符号の説明】
【００４５】
１  スラット（外側部材）
７ａ，７ｂ  スライド操作装置
１０  シャフト（軸部材）
１２  スライダー（可動部材）
１３  第１ロックプレート（ロック部材）
１３ａ  ロック穴
１３ｂ、１３ｃ  エッジ部
１４  ばね
１５  操作レバー（操作部材）
１５ａ  外側第１当接部（外側当接部）
１５ｂ  外側第２当接部（外側当接部）
１５ｃ  内側第１当接部（内側当接部）
１５ｄ  内側第２当接部（内側当接部）
１５ｅ  スライダー側第１当接部
１５ｆ  スライダー側第２当接部
１５ｂ  ロックプレート側当接部
１５ｃ、１５ｄ  スライダー側当接部
２１  第１当接片
２１ｂ  頂点
２２  第２当接片
２２ｂ  頂点
２３  第２ロックプレート（ロック部材）
２３ａ  ロック穴
２３ｂ、２３ｃ  エッジ部
５０  センターコンソール
５２  スライド部材（外側部材）
５５  操作レバー（操作部材）
【図１】
2010024712.tif 000003
【図２】
2010024712.tif 000004
【図３】
2010024712.tif 000005
【図４】
2010024712.tif 000006
【図５】
2010024712.tif 000007
【図６】
2010024712.tif 000008
【図７】
2010024712.tif 000009
【図８】
2010024712.tif 000010
【図９】
2010024712.tif 000011
【図１０】
2010024712.tif 000012